(57)【要約】      （修正有）【課題】残渣を限りなく少なくし、水との分離を１年以上保ち、燃焼効果が下がることなく、煙が少なく、限りなく完全燃焼する水で倍以上にしエマルジョン化燃料を提供する。【解決手段】空気噴出口に磁石を取り付け、空気の分子を細かくし、羽根状アタッチメントに吹き付けることにより細かい気泡とし純水に対し酵素粉末０．０５％を投入した水を攪拌し酵素水を用意する。この酵素水にメタノールを２０％加えて、バッキすることによりアルコール水を作る。このアルコール水に対し５０％の原油を投入し、数時間バッキし、エマルジョン燃料とする。【選択図】図４
2011144339.tif 000002
【特許請求の範囲】
【請求項１】
化石燃料の全ての種別（主に重油及び軽油及び灯油）その他の内燃機関に使用されている物例えばバーナーの各種にも、適用されるべく改善された、新燃料である
各々の原油に対して水４０〜５０％の混合する事により、各原油が倍に増量される事を目的に考え出された物である。
バッキ時間の短縮と、時間の経過により起こる分離を皆無とした。
【請求項２】
各原油に水を混入する事が出来る用にするには、どうすれば完全に混入するかが大きな課題となる為、エアレーション、システムに時間が掛かりました、それを短時間で混合が可能となりました。
【請求項３】
空気吹き出し口に、磁石を配置することにより空気をマイナスイオン化し、より一層の粒子を細かくする事が出来た。
【請求項４】
空気吹き出し口より、空気が直接当たる位置に風車風のアタッチメントを、配置し、この事により気泡がマクロの値に成るようにした。
【請求項５】
酵素粉末を混入することにより、酵素水を作り、その酵素水に対してメタノールを混ぜることによりアルコール水となります。
【請求項６】
アルコール水に対して、５０％の原油を混入することにより、１００％の製品が誕生し、しかも、二度と再び分離することが皆無であることが確認された。
【請求項７】
空気が、流動物の分子を細かくす事が可能な、羽根状のアタッチメントを開発した結果得られた物である。
【発明の詳細な説明】
【技術分野】
【０００１】本発明は、燃料となる、重油・軽油・灯油等を水を加えることにより倍の量とすることが出来るものである。
【背景技術】
【０００２】各燃料に水を加えることにより倍以上の量になることを目指した。これには、水そのものの特性である「溶質」を遺憾なく使用したことから可能となった。純水１に対し酵素粉末を０，０５％を投入させ、羽根状アタッチメントに吹き付ける空気口に磁石を取り付け、空気の分子を細かくし、羽根状アタッチメントから吹き出る空気は、微細な気泡となり、羽根状アタッチメントに当たることによりさらに細かい気泡が生まれ、水と酵素が勢いよく攪拌されると同時に水と酵素が一体となることを助長さすことになり、数時間で酵素水となります。微細な空気を送り込むことは、微生物の繁殖を促進することにとどまらず、マイナスイオンのおかげで善玉菌が瞬間に繁殖する事により、水と酵素がなじみ酵素水が誕生します、又、硫黄分などは薄くなり余分なスラッジ等も攪拌され分別することなくとけ込んでくれます。この酵素水の働きの特長は有機物を分解すると共に鉱物に返還する微生物のおかげで得た特長を生かし、他の物質との混合を促すことが出来る物と変身してくれます。この働きをしてくれるのが分解者（微生物の）役目です。そこで次のタンクでは、この酵素水にメタノールを２０％加えまして、バッキする事により、微生物が繁殖し（分解者）が大量発生する事で、数時間で酵素水が４０°以上のアルコールに変身してくれます、このアルコール水に対し５０％の原油を投入し、数時間バッキする事により原油そのものと一部も変わらない、商品が生まれます。硫黄分が少なくなっている事であるから、当然燃焼効果も向上し、排気ガスもきれいな物となっております。又、各工程ごとにフイルターを（３〜５ミクロン）を通す事により、ゴミやスラッジを未然に取り除くことによりきれいな商品に仕上げており又、長時間の据え置きも可能であり、分離したり、沈殿したりすることは認められておりません。綺麗な燃料を使用することは、言うまでもなくな酸化炭素の削減余分な排気を出さずに済みます又、内燃機関の寿命も延び何時までも綺麗な機関として耐久力も向上します。
【発明の開示】
【発明が解決しょうとする課題】
【００３】  限られた資源を、より有効に価値ある使用の仕方をせねば成りません、此処に来て化石燃料が精製のみで垂れ流しにされてはおらないか、はなはだ疑問に思うのは論を待たないでしょう、そこで考えられたのが水増し技術です、油と水は昔から混ざらない物との定義がありましたが、混合する技術が確保されました。
【課題を解決するための手段】
【００４】  水の性質、又は、構造的特長を考えますと、水分子は酸素の上に水素くついており即ち、Ｈ２Ｏで表されておるように、水素が２個が酸素の上にくっついておるような形となっております。
即ち、イオン結晶がなしえやすいことが解ります、そこで、果物の酵素と強烈なエアレーションをするためには（羽根状アタッチメント）に強烈なマイナスイオンを帯びた空気を送り込むことが大切となり、そこで考えられた物が空気吹き出す口に永久磁石を配置すること下有り、この事により空気のクラスタが小さくなると共にマイナスイオンを帯びておるので水に対し、イオン交換が成されます。
イオン交換する事により他の物質との結合がよりスムーズとなるばかりでなく、マイナスイオン化された空気により分子がより一層小さくなり目的を果たしてくれます。水分子集団はクラスタは１２個とされておりますが、マイナスイオンを吹き付けることによりクラスタが半分以下となり、他の物質との結合が著しく可能となる。
【００５】  この様な水に、果物酵素を０．０５％を混入させ、バッキさせますとイオン化された水分子との結合が促進され、水の中に酵素がとけ込むようになり、水全体が酵素水に返還いたします、特にバッキの構造上の問題が大きい役割れを果たすことになります、限りなく小さくなった水分子に、酵素をイオン化と共に結合さすことで僅か、０，０５％の酵素により水全体が酵素水となるわけです、いかに、バッキを効率よくすることが微生物の繁殖を促す事になり、分解者の働きが向上します、この事により一層の混合が可能となり、結果商品となります。
【００６】  この、酵素水に２０％のメタノール（ＣＨ３ＯＨ）をバッキにより混合を促進させ、反応を促しますとアルコール４０°の精製アルコールが誕生いたします、この事から４０％〜５０％の原油とをバッキ攪拌いたしますと原油そのものと成るわけです。ところで
メタノールの燃焼Ｑ＝ＣＨ３ＯＨ  Ｃ＋Ｏ２＝ＣＯ２＋Ｑ２で表される燃焼熱Ｑ２＝９４．０５  ｋｃａｌあり、酵素水との結合は極めて確実に行われておることが解ります
【発明の効果】
【００７】  重油・軽油・灯油等のかく石油類に対し、この技術を使用することにより、必要量の確保が容易になることは確かなことである、今日の不況時には無くてはならない物となろう、経済効果のみならず、地球環境にも貢献できる物と自負しているところである。
【発明を実施するための最良の形態】
【００８】  石油精製メーカーの参入も考えられます。また大量消費者の方々自らの土地に精製加工場を設けることも可能です。また、地域による加工場の設置も考えられます。
【実施例】
【００９】  消費規模によりいろいろな種類を加工場として、設置出来るものと思われます。規模が大きいほどコストの削減も大きくなることでしょう。
【産業上に使用可能性】
【０１０】  発電所、製鉄所、化学工場、等の大量消費者が自社工場内にプラントを、設置する事が出来、使用箇所までパイプで輸送出るようになります。
【０１１】  中規模として、病院、寒冷地の暖房用、等は地域のエネルギーセンターとして開設出来る。
【０１２】  農水産業者、ボイラーの燃料用、個々に設置する事も良いが地域やグループで施設を設置。
【０１３】  トラック、運送業者等は、自社のエネルギーセンターを設置出来るようになる、遠距離配送もなくなり余分な輸送が省ける。
【図面の簡単な説明】
【００１４】  羽根状アタッチメントの概要
直径８０ｍｍ厚さ１０ｍｍスポーク８本、このアタッチメントを直列に２〜５枚合わせて組みます、そこに強烈な勢いで空気を送ることにより微細な気泡が生まれます、この事により微生物が繁殖し有機物を無機物に返還してくれます。
【図１】  ［符号の説明］  アタッチメントの平面図  １，外側アタッチメント２，穴あきスポーク３，中心セグメント
【図２】  ［符号の説明］  アタッチメントの断面図  １，外側アタッチメント２，穴あきスポーク３，中心セグメント、
【図３】  ［符号の説明］  アタッチメント、穴あきスポークの断面図  １，穴あきスポーク２，穴約１ｍｍの穴が開けられている３，断面図
【図４】  ［符号の説明］  フローシート  １，水槽２，酵素攪拌槽３，バッキ器具４，コンプレッサー５，空気管６，メタノール攪拌槽７，原油攪拌槽８，完成品タンク９，ラインポンプ１０，配管１１，酵素タンク１２，メタノールタンク１３，原油タンク１４，ストレーナー１５，ラインポンプ１６，計量器１７，供給パイプ１８，操作盤
【図５】  ［符号の説明］  バッキ器具  断面図  １，バッキ器具筒２，アタッチメント３，取り付け金具４，支持金具ボルト
【図６】  ［符号の説明］  平面図  １，バッキ器具筒２，アタッチメント
【図７】  ［符号の説明］  バッキ位置配管  平面図  １，バッキタンク２，空気パイプ３，バッキ器具４，逆器具
【図８】  ［符号の説明］  バッキ槽  立体図  １，バッキ槽２，空気管３，バッキ器具４，逆さ器具５，上澄みドレーン
【図９】  ［符号の説明］  バッキ器具  空気吹き出し口  断面図  １，直径１０ｍｍ２，磁石３，３０ｍｍ空気パイプ
【図１０】  ［符号の説明］  バッキ器具取り付け平面図  １，吹き出し口２，磁石３，空気パイプ
【図１】
2011144339.tif 000003
【図２】
2011144339.tif 000004
【図３】
2011144339.tif 000005
【図４】
2011144339.tif 000006
【図５】
2011144339.tif 000007
【図６】
2011144339.tif 000008
2011144339.tif 000009
【図９】
2011144339.tif 000010
【図１０】
2011144339.tif 000011
【手続補正書】
【提出日】平成22年3月24日(2010.3.24)
【手続補正１】
【補正対象書類名】図面
【補正対象項目名】全図
【補正方法】変更
【補正の内容】
【図１】
2011144339.tif 000012
【図２】
2011144339.tif 000013
【図３】
2011144339.tif 000014
【図４】
2011144339.tif 000015
【図５】
2011144339.tif 000016
【図６】
2011144339.tif 000017
【図７】
2011144339.tif 000018
【図８】
2011144339.tif 000019
【図９】
2011144339.tif 000020
【図１０】
2011144339.tif 000021